(57)【要約】【課題】表示器の視認性の向上を図りつつ消費電力の増加を抑える。【解決手段】点灯回路１２は、交流電源１００から供給される常用電力で光源２を点灯させる常用点灯モード、蓄電池３から供給される非常用電力で光源２を点灯させる非常用点灯モード、及び光源２を調光する常用調光モードの３つの点灯モードを有する。制御回路１６は、３つの点灯モードを択一的に切り替えるように点灯回路１２を制御する。制御回路１６は、点灯回路１２を常用調光モードで動作させている場合の表示器１５の光量を、点灯回路１２を常用点灯モードで動作させている場合の表示器１５の光量よりも小さくする。【選択図】        図１
2018185941.tif 000002
【特許請求の範囲】
【請求項１】
常用電源から供給される常用電力で光源を点灯させる常用点灯モード、蓄電池から供給される非常用電力で前記光源を点灯させる非常用点灯モード、及び前記光源を調光する常用調光モードの３つの点灯モードを有する点灯回路と、
前記常用電力で前記蓄電池を充電する充電回路と、
前記点灯回路を制御する制御回路と、
前記蓄電池が充電中である旨を点灯表示する表示器と
を備え、
前記制御回路は、前記３つの点灯モードを択一的に切り替えるように前記点灯回路を制御し、かつ、前記点灯回路を前記常用調光モードで動作させている場合の前記表示器の光量を、前記点灯回路を前記常用点灯モードで動作させている場合の前記表示器の光量よりも小さくする
ことを特徴とする点灯装置。
【請求項２】
前記制御回路は、前記常用調光モードにおいて前記光源を消灯させるように前記点灯回路を制御する
ことを特徴とする請求項１記載の点灯装置。
【請求項３】
請求項１又は２記載の点灯装置と、
前記点灯装置によって点灯させられる光源と、
前記点灯装置によって充電される蓄電池と、
前記点灯装置、前記光源及び前記蓄電池を保持する器具本体と
を備える
ことを特徴とする照明器具。
【発明の詳細な説明】
【技術分野】
【０００１】
本発明は、点灯装置及び照明器具に関し、より詳細には、光源を点灯させるとともに蓄電池が充電中である旨を点灯表示するための表示器を制御する点灯装置、及び当該点灯装置を備える照明器具に関する。
【背景技術】
【０００２】
従来例として、特許文献１記載の点灯ユニット（点灯装置）及び照明装置（照明器具）を例示する。特許文献１記載の照明装置は、屋側の天面や壁面に取り付けられる本体に、光源、バッテリ（蓄電池）、点灯ユニット及びモニタランプ（表示器）などが収容され、本体の下面に露出する光源及び表示器をグローブで覆うように構成されている。
【０００３】
点灯ユニットは、平常時は、商用電源等の外部電源を光源に供給して光源を点灯させ、外部電源の停止時（停電時）には、バッテリから供給される電力で光源を点灯させるように構成されている。さらに、点灯ユニットは、平常時に外部電源から供給される電力でバッテリを充電するとともに、バッテリの充電中に第１の輝度でモニタランプを点灯させてバッテリが充電中である旨を表示している。ただし、第１の輝度は、光源の点灯時にグローブを介して外部から視認できない程度の輝度である。
【先行技術文献】
【特許文献】
【０００４】
【特許文献１】特開２０１６−１５２１８９号公報
【発明の概要】
【発明が解決しようとする課題】
【０００５】
ところで、特許文献１記載の点灯ユニットにおいては、光源の点灯時にグローブを介して外部からモニタランプを視認できないため、バッテリが充電されているか否かを判断することが困難であった。一方、光源の点灯時にグローブを介して外部からモニタランプを視認できるようにモニタランプの輝度を高くした場合、平常時で且つ光源が消灯しているときにモニタランプが目立ちすぎてしまい、消費電力が増えてしまうという問題があった。
【０００６】
本発明の目的は、表示器の視認性の向上を図りつつ消費電力の増加を抑えることができる点灯装置及び照明器具を提供することである。
【課題を解決するための手段】
【０００７】
本発明の一態様に係る点灯装置は、点灯回路と、常用電源から供給される常用電力で蓄電池を充電する充電回路と、前記点灯回路を制御する制御回路と、前記蓄電池が充電中である旨を点灯表示する表示器とを備える。前記点灯回路は、前記常用電力で光源を点灯させる常用点灯モード、前記蓄電池から供給される非常用電力で前記光源を点灯させる非常用点灯モード、及び前記光源を調光する常用調光モードの３つの点灯モードを有する。前記制御回路は、前記３つの点灯モードを択一的に切り替えるように前記点灯回路を制御する。前記制御回路は、前記点灯回路を前記常用調光モードで動作させている場合の前記表示器の光量を、前記点灯回路を前記常用点灯モードで動作させている場合の前記表示器の光量よりも小さくする。
【０００８】
本発明の一態様に係る照明器具は、点灯装置と、前記点灯装置によって点灯させられる光源と、前記点灯装置によって充電される蓄電池と、前記点灯装置、前記光源及び前記蓄電池を保持する器具本体とを備える。
【発明の効果】
【０００９】
本発明の点灯装置及び照明器具は、表示器の視認性の向上を図りつつ消費電力の増加を抑えることができるという効果がある。
【図面の簡単な説明】
【００１０】
【図１】図１は、本発明の一実施形態に係る点灯装置の回路ブロック図である。
【図２】図２は、同上の点灯装置の動作説明用のタイムチャートである。
【図３】図３は、同上の点灯装置における負荷電流と駆動電流の関係を示すグラフである。
【図４】図４Ａは、本発明の一実施形態に係る照明器具の下面図である。図４Ｂは、同上の照明器具の側面図である。
【図５】図５は、同上の照明器具の分解斜視図である。
【図６】図６は、同上の照明器具のカバーユニットを外した状態の斜視図である。
【発明を実施するための形態】
【００１１】
本発明の一実施形態に係る点灯装置及び照明器具について、図面を参照して詳細に説明する。なお、以下の実施形態で説明する構成は本発明の一例にすぎない。本発明は、以下の実施形態に限定されず、本発明の効果を奏することができれば、設計等に応じて種々の変更が可能である。
【００１２】
まず、本実施形態の点灯装置１について図１〜図３を参照して詳細に説明する。点灯装置１は、図１に示すように、充電回路１０、電力変換回路１１、点灯回路１２、第１のスイッチ素子１３、第２のスイッチ素子１４、表示器１５及び制御回路１６を備える。また、点灯装置１は、制御電源回路１７、信号出力回路１８及び点検受付回路１９を備えることが好ましい。さらに、点灯装置１は、一対の常用電源端子Ｔ１１、Ｔ１２と、一対の非常用電源端子Ｔ２１、Ｔ２２と、一対の負荷端子Ｔ３１、Ｔ３２と、信号端子Ｔ４とを備えることが好ましい。
【００１３】
一対の常用電源端子Ｔ１１、Ｔ１２は、常用電源である商用の交流電源１００と電気的に接続されている。つまり、一対の常用電源端子Ｔ１１、Ｔ１２間に交流電源１００から交流電圧（例えば、実効値１００［Ｖ］の交流電圧）が入力される。また、一対の非常用電源端子Ｔ２１、Ｔ２２のうちの一方の非常用電源端子Ｔ２１が非常用電源である蓄電池３の正極と電気的に接続され、他方の非常用電源端子Ｔ２２が蓄電池３の負極と電気的に接続されている。さらに、一対の負荷端子Ｔ３１、Ｔ３２は、光源２と電気的に接続されている。光源２は、例えば、照明用白色発光ダイオードを有している。ただし、光源２は、照明用白色発光ダイオードに代えて、蛍光ランプや有機エレクトロルミネセンス素子などの発光素子を有していても構わない。光源２の正極に一方の負荷端子Ｔ３１が電気的に接続され、光源２の負極に他方の負荷端子Ｔ３２が電気的に接続されている。
【００１４】
信号端子Ｔ４は、スイッチ装置６を介して一方の常用電源端子Ｔ１１と電気的に接続されている。スイッチ装置６は、従来周知である屋内用小形スイッチのワイドハンドル形スイッチなどと共通の構成を有することが好ましい。スイッチ装置６は、例えば、常用電源端子Ｔ１１と電気的に接続されている第１接点６１と、信号端子Ｔ４と電気的に接続されている第２接点６２と、人の手で操作される操作部材と、接点機構とを有することが好ましい。接点機構は、操作部材が操作される毎に、第１接点６１と第２接点６２が接触して導通するオン状態と、第１接点６１と第２接点６２が離間して導通しないオフ状態とを切り替えるように構成されている。つまり、スイッチ装置６は、オン状態のときに常用電源端子Ｔ１２と信号端子Ｔ４の間に交流電源１００の交流電圧を印加し、オフ状態のときに常用電源端子Ｔ１２と信号端子Ｔ４の間に交流電源１００の交流電圧を印加しないように構成されている。
【００１５】
各常用電源端子Ｔ１１、Ｔ１２は、電力変換回路１１の一対の入力端子のうちの対応する入力端子と電気的に接続されている。つまり、交流電源１００から供給される交流電圧（交流電力）が電力変換回路１１の一対の入力端子に入力される。電力変換回路１１は、例えば、ダイオードブリッジからなる全波整流回路、並びに絶縁型のフライバックコンバータを有することが好ましい。つまり、電力変換回路１１は、交流電源１００から供給される交流電圧（交流電力）を、交流電圧のピーク電圧よりも低い電圧の直流電圧（直流電力）に変換するように構成されることが好ましい。
【００１６】
電力変換回路１１の高電位側の出力端子に第１のスイッチ素子１３の第１端子が電気的に接続されている。第１のスイッチ素子１３は、例えば、デプレッション形のｐチャネルＭＯＳＦＥＴ（Metal Oxide Semiconductor Field Effect Transistor）で構成されることが好ましい。第１のスイッチ素子１３の第２端は点灯回路１２の高電位側の入力端子と電気的に接続されている。また、点灯回路１２の低電位側の入力端子は電力変換回路１１の低電位側の出力端子と電気的に接続されている。つまり、第１のスイッチ素子１３がオン状態のときに電力変換回路１１の出力電圧が点灯回路１２の一対の入力端子間に印加され、第１のスイッチ素子１３がオフ状態のときは電力変換回路１１の出力電圧が点灯回路１２の一対の入力端子間に印加されない。
【００１７】
点灯回路１２は、例えば、昇圧チョッパ回路で構成されることが好ましい。点灯回路１２は、常用点灯モード、非常用点灯モード及び常用調光モードの３つの動作モードを有している。常用点灯モードの点灯回路１２は、電力変換回路１１から一対の負荷端子Ｔ３１、Ｔ３２を通して光源２に供給される負荷電流を目標値（定格値）に一致させるように動作する。非常用点灯モードの点灯回路１２は、一対の非常用電源端子Ｔ２１、Ｔ２２を通して蓄電池３から光源２に供給される負荷電流を目標値（定格値）に一致させるように動作する。常用調光モードの点灯回路１２は、電力変換回路１１から光源２に供給される負荷電流を定格値未満の目標値（調光レベル）に一致させるように動作する。なお、調光レベルがゼロの場合、点灯回路１２は負荷電流をゼロにして光源２を消灯する。
【００１８】
第２のスイッチ素子１４は、例えば、エンハンスメント形のｐチャネルＭＯＳＦＥＴで構成されることが好ましい。第２のスイッチ素子１４の第１端（ソース）が正極側の非常用電源端子Ｔ２１と電気的に接続され、第２のスイッチ素子１４の第２端（ドレイン）が点灯回路１２の高電位側の入力端子と電気的に接続されている。
【００１９】
蓄電池３は、例えば、複数個の単電池３０の直列回路で構成されることが好ましい。各単電池３０は、例えば、ニッケル水素電池又はリチウムイオン電池などの２次電池であることが好ましい。
【００２０】
充電回路１０は、電力変換回路１１の出力電流の一部を用いて蓄電池３を充電するように構成されている。充電回路１０は、例えば、シャントレギュレータで構成されることが好ましい。充電回路１０の高電位側の入力端子はダイオードＤ１のカソードに電気的に接続されている。ダイオードＤ１のアノードは電力変換回路１１の高電位側の出力端子と電気的に接続されている。充電回路１０の高電位側の出力端子はダイオードＤ２のアノードと電気的に接続されている。ダイオードＤ２のカソードは正極側の非常用電源端子Ｔ２１及び第２のスイッチ素子１４の第１端と電気的に接続されている。充電回路１０の低電位側の入力端子は電力変換回路１１の低電位側の出力端子と電気的に接続されている。充電回路１０の低電位側の出力端子は負極側の非常用電源端子Ｔ２２と電気的に接続されている。
【００２１】
制御電源回路１７は、例えば、３端子レギュレータのようなシリーズレギュレータで構成されることが好ましい。制御電源回路１７の入力端子は、ダイオードＤ３のカソードと電気的に接続されている。ダイオードＤ３のアノードは電力変換回路１１の高電位側の出力端子と電気的に接続されている。制御電源回路１７は、電力変換回路１１の出力電圧から制御電源電圧（例えば、５［Ｖ］〜３［Ｖ］程度の直流電圧）を作成し、作成した制御電源電圧を制御回路１６、電力変換回路１１、点灯回路１２などに供給している。
【００２２】
制御回路１６は、例えば、マイクロコントローラを有することが好ましい。制御回路１６は、制御電源回路１７から制御電源電圧が供給されることによって動作する。制御回路１６は、電力変換回路１１の出力電圧を監視して交流電源１００の状態（正常状態及び停電状態）を判定することが好ましい。
【００２３】
制御回路１６は、交流電源１００の状態を正常状態と判定している場合、第１のスイッチ素子１３をオンし、かつ、第２のスイッチ素子１４をオフする。第１のスイッチ素子１３がオンしていれば、電力変換回路１１から点灯回路１２を介して光源２に負荷電流が供給され、かつ、電力変換回路１１から充電回路１０を介して蓄電池３に充電電流が供給される。なお、第２のスイッチ素子１４がオフしているので、充電電流が点灯回路１２を介して光源２に流れることはない。この場合、点灯回路１２は常用点灯モードで動作し、電力変換回路１１から光源２に供給される負荷電流を目標値に一致させる。つまり、点灯装置１は、交流電源１００（常用電源）の状態が正常状態である場合、交流電源１００から供給される常用電力によって光源２を点灯させるとともに蓄電池３を充電するように構成されている。
【００２４】
また、制御回路１６は、交流電源１００の状態を停電状態と判定している場合、第１のスイッチ素子１３をオフし、かつ、第２のスイッチ素子１４をオンする。なお、制御電源回路１７は、蓄電池３から供給される直流電力によって制御電源電圧を作成することが好ましい。交流電源１００が停電すれば電力変換回路１１の電力供給も停止するが、第２のスイッチ素子１４がオンすることによって、蓄電池３から放電される直流電流が第２のスイッチ素子１４を通して点灯回路１２から光源２に供給される。この場合、点灯回路１２は、非常用点灯モードで動作し、蓄電池３から光源２に供給される負荷電流を目標値に一致させる。つまり、点灯装置１は、交流電源１００（常用電源）の状態が停電状態である場合、蓄電池３から供給される非常用電力によって光源２を点灯させるように構成されている。
【００２５】
表示器１５は、例えば、緑色光を放射する発光ダイオードを有することが好ましい。表示器１５は、制御回路１６から供給される駆動電流によって発光し、かつ、駆動電流の大きさに応じて光量を変化するように構成されることが好ましい。制御回路１６は、交流電源１００の状態を正常状態と判定している場合に駆動電流を供給して表示器１５を発光させる。つまり、表示器１５は、交流電源１００から供給される常用電力で蓄電池３が充電されていることを表示するように構成されている。
【００２６】
ところで、非常用照明を行う照明器具（非常用照明器具）においては、消防法によって定期的な点検作業が義務づけられている。そのため、点灯装置１は、点検作業を開始するためのトリガ入力を受け付ける点検受付回路１９を備えることが好ましい。点検受付回路１９は、例えば、２つの押釦スイッチ（第１の押釦スイッチ及び第２の押釦スイッチ）と赤外線受光素子を有することが好ましい。赤外線受光素子は、リモートコントローラから送信される赤外線信号を受信（受光）し、受信した赤外線信号を電気信号（点検開始信号）に変換して出力するように構成されている。第１及び第２の押釦スイッチは、常開接点と押釦を有し、押釦が押操作されることで常開接点を閉じる（オンする）ように構成されることが好ましい。点検受付回路１９は、第１の押釦スイッチがオンしているときに第１の点検受付信号を制御回路１６に出力するように構成されている。また、点検受付回路１９は、第２の押釦スイッチがオンしたとき、及び赤外線受光素子から点検開始信号が出力されたときに第２の点検受付信号を制御回路１６に出力するように構成されている。つまり、点検受付回路１９は、第１及び第２の押釦スイッチがオンされることと赤外線受光素子が赤外線信号を受光することによってトリガ入力を受け付けるように構成されている。
【００２７】
制御回路１６は、点検受付回路１９から第１の点検受付信号を受け取っている間、第１の点検動作を行うことが好ましい。また、制御回路１６は、点検受付回路１９から第２の点検受付信号を受け取った場合、第２の点検動作を行うことが好ましい。
【００２８】
第１の点検動作を行う制御回路１６は、第１のスイッチ素子１３をオフするとともに第２のスイッチ素子１４をオンし、充電回路１０を停止する。つまり、制御回路１６は、第１の点検動作を行う場合、点灯回路１２の動作モードを非常用点灯モードに切り替え、蓄電池３から供給される非常用電力によって光源２を点灯させる。ただし、制御回路１６は、点検受付回路１９から第１の点検受付信号を受け取らなくなれば、第１の点検動作を終了し、第１のスイッチ素子１３をオンするとともに第２のスイッチ素子１４をオフし、充電回路１０を動作させる。
【００２９】
第２の点検動作を行う制御回路１６は、所定の期間（例えば、３０分間又は６０分間）、第１のスイッチ素子１３をオフするとともに第２のスイッチ素子１４をオンし、充電回路１０を停止する。つまり、制御回路１６は、第２の点検動作を行う場合、所定の期間、点灯回路１２の動作モードを非常用点灯モードに切り替え、蓄電池３から供給される非常用電力によって光源２を点灯させる。また、制御回路１６は、所定の期間が過ぎれば、第２の点検動作を終了し、第１のスイッチ素子１３をオンするとともに第２のスイッチ素子１４をオフし、充電回路１０を動作させる。さらに、制御回路１６は、所定の期間が経過するまで蓄電池３から供給される非常用電力で光源２を点灯させることができたか否かを判定し、その判定結果に応じた周期で表示器１５を点滅させることが好ましい。
【００３０】
信号出力回路１８は、スイッチ装置６がオフ状態であって、常用電源端子Ｔ１２と信号端子Ｔ４の間に交流電源１００の交流電圧が印加されていない場合に、制御回路１６に対して消灯信号を出力するように構成されることが好ましい。また、信号出力回路１８は、スイッチ装置６がオン状態であって、常用電源端子Ｔ１２と信号端子Ｔ４の間に交流電源１００の交流電圧が印加されている場合、制御回路１６に対して消灯信号を出力しないように構成されることが好ましい。ただし、信号出力回路１８は、スイッチ装置６がオン状態のときに点灯信号を出力し、スイッチ装置６がオフ状態のときに点灯信号を出力しないように構成されても構わない。
【００３１】
制御回路１６は、信号出力回路１８から消灯信号を受け取っている場合（又は点灯信号を受け取っていない場合）、第１及び第２のスイッチ素子１３、１４をオフすることで光源２を消灯しつつ充電回路１０に蓄電池３を充電させる。つまり、制御回路１６は、信号出力回路１８から消灯信号を受け取っている場合（又は点灯信号を受け取っていない場合）、点灯回路１２の動作モードを常用調光モードとしつつ調光レベルをゼロとするように構成されている。ただし、制御回路１６は、第１及び第２のスイッチ素子１３、１４をオフ状態とすることによって点灯回路１２の動作モードを常用調光モードとしつつ調光レベルをゼロとすることが好ましい。
【００３２】
一方、制御回路１６は、信号出力回路１８から消灯信号を受け取っていない場合（又は点灯信号を受け取っている場合）、第１のスイッチ素子１３をオンし、かつ第２のスイッチ素子１４をオフして光源２を点灯させつつ充電回路１０に蓄電池３を充電させる。つまり、制御回路１６は、信号出力回路１８から消灯信号を受け取っていない場合（又は点灯信号を受け取っている場合）、点灯回路１２の動作モードを常用点灯モードとするように構成されている。
【００３３】
ここで、図２のタイムチャートを参照し、交流電源１００が正常状態のときにスイッチ装置６がオフされた場合の点灯装置１の動作を説明する。なお、図２における符号Ｖ１は、一対の常用電源端子Ｔ１１、Ｔ１２に印加される交流電圧を示し、符号Ｖ２は、一方の常用電源端子Ｔ１２と信号端子Ｔ４に印加される交流電圧を示している。また、図２における符号Ｉ１は、一対の負荷端子Ｔ３１、Ｔ３２を通して光源２に供給される負荷電流を示し、符号Ｉ２は、制御回路１６から表示器１５に供給される駆動電流を示している。さらに、図２における横軸は時刻ｔを示している。
【００３４】
時刻ｔ＝ｔ１にスイッチ装置６がオン状態からオフ状態に切り替えられたと仮定する。時刻ｔ＝ｔ１以前においては、スイッチ装置６がオン状態であって常用電源端子Ｔ１２と信号端子Ｔ４の間に交流電源１００の交流電圧Ｖ２が印加されるので、信号出力回路１８は制御回路１６に対して消灯信号を出力しない（又は点灯信号を出力する）。したがって、制御回路１６は、点灯回路１２を常用点灯モードで動作させ、定格値ｉ１１の負荷電流Ｉ１を光源２に供給させる。このとき、制御回路１６は、表示器１５に供給する駆動電流Ｉ２を最大値ｉ２１とする。
【００３５】
一方、時刻ｔ＝ｔ１以降においては、スイッチ装置６がオフ状態であって常用電源端子Ｔ１２と信号端子Ｔ４の間に交流電源１００の交流電圧Ｖ２が印加されない。そのため、信号出力回路１８は制御回路１６に対して消灯信号を出力する（又は点灯信号を出力しない）。したがって、制御回路１６は、第１及び第２のスイッチ素子１３、１４をオフすることで負荷電流Ｉ１をゼロとし、光源２を消灯する。このとき、制御回路１６は、表示器１５に供給する駆動電流Ｉ２を最小値ｉ２０（０＜ｉ２０＜ｉ２１）とする。
【００３６】
上述のように点灯装置１は、光源２の点灯時における表示器１５の光量に対して、光源２の消灯時における表示器１５の光量を相対的に小さくするので、表示器１５の視認性の向上を図りつつ消費電力の増加を抑えることができる。
【００３７】
ところで、制御回路１６は、図３に示すように、負荷電流Ｉ１の電流値に比例させるように、駆動電流Ｉ２の電流値を最小値ｉ２０から最大値ｉ２１までの範囲で連続的に変化させても構わない。制御回路１６は、常用調光モードで動作する点灯回路１２の負荷電流Ｉ１の目標値を調整することによって、負荷電流Ｉ１の電流値をゼロ（消灯）から定格値ｉ１１（定格点灯）まで連続的に変化（調光）させることが好ましい。ただし、制御回路１６は、駆動電流Ｉ２の電流値を最小値ｉ２０から最大値ｉ２１までの範囲で段階的に変化させても構わない。
【００３８】
例えば、スイッチ装置６の代わりに、位相制御型の調光器が常用電源端子Ｔ１１と信号端子Ｔ４の間に電気的に接続され、常用電源端子Ｔ１２と信号端子Ｔ４を通して調光器から信号出力回路１８に位相制御された交流電圧が入力されても構わない。この場合、信号出力回路１８は、位相制御された交流電圧から調光レベルを読み取り、読み取った調光レベルを示す電圧信号を制御回路１６に出力するように構成されることが好ましい。制御回路１６は、負荷電流Ｉ１の目標値を、信号出力回路１８から電圧信号によって受け取る調光レベルに一致させることが好ましい。
【００３９】
点灯装置１が上述のように構成されれば、光源２の光量に応じて表示器１５の光量を細かく調整することにより、表示器１５の視認性の更なる向上を図りつつ消費電力の増加を抑えることができる。
【００４０】
次に、本実施形態の照明器具４について、図４Ａ〜図６を参照して詳細に説明する。本実施形態の照明器具４は、例えば、集合住宅の共用部の通路における天井１０１に直付けされる非常用照明器具である。ただし、照明器具４は壁に直付けされてもよい。あるいは、照明器具４は非常階段などの避難通路に設置される階段通路誘導灯であっても構わない。
【００４１】
照明器具４は、図４Ａ及び図４Ｂに示すように、器具本体４０とカバーユニット４１とを備えている。器具本体４０は、図５に示すように、アルミなどの金属材料によって、下面が開口した扁平な円筒形状に形成されている。なお、以下の説明においては、図５において照明器具４の上下、左右及び前後の各方向を規定する。
【００４２】
器具本体４０の下面の中心に円形の電源穴４００が貫通している。器具本体４０の下面の中心に対して点対称な位置に、長円形の一対のボルト挿通穴４０１が貫通している。器具本体４０の各ボルト挿通穴４０１には、天井１０１から下向きに突き出している２本の吊りボルト１０２がそれぞれ１本ずつ挿通される。そして、各ボルト挿通穴４０１に挿通された吊りボルト１０２にナット１０３が締め付けられることによって器具本体４０が天井１０１に固定される（図５及び図６参照）。
【００４３】
器具本体４０の下面における電源穴４００よりも後方の位置に点灯装置１が取り付けられている。点灯装置１は、合成樹脂製のカバー４０２で覆われている。また、カバー４０２の下面における後端の位置にスイッチカバー４０３が設けられている。スイッチカバー４０３の下面に円形の穴が４つ設けられている（図５及び図６参照）。第１の穴４０３０には、カバー４０２内に収容されている第１の押釦スイッチの押釦を押操作するための操作部材４０３１が上下方向に移動可能に挿入されている。つまり、上向きに移動させられた操作部材４０３１によって第１の押釦スイッチの押釦が押操作される。第２の穴４０３２は、表示器１５から放射される光をスイッチカバー４０３の外に出射させるように構成されている。つまり、表示器１５は、第２の穴４０３２を通して視認されるように器具本体４０に保持されている。第３の穴４０３３は第２の押釦スイッチの押釦と対向している。つまり、第３の穴４０３３に挿入される治具の先端部分（例えば、プラスドライバの先端部分）によって第２の押釦スイッチの押釦が押操作される。さらに、第４の穴４０３４は赤外線受光素子と対向している。つまり、赤外線受光素子は、第４の穴４０３４を通して赤外線信号を受信するように器具本体４０に保持されている。
【００４４】
器具本体４０の下面における電源穴４００の前方に、蓄電池収容部４０４が設けられている。蓄電池収容部４０４は、下面が開口した箱状に形成され、下面の開口を通して出し入れ可能に蓄電池３を収容するように構成されている。蓄電池カバー４０５は板状に形成され、蓄電池収容部４０４の下面の開口を開閉可能に塞ぐように構成されている。
【００４５】
また、器具本体４０の下面における電源穴４００の前方に端子台４０６が取り付けられている。端子台４０６は、合成樹脂製の筐体内に複数のねじなし端子（速結端子）を収容して構成されることが好ましい。端子台４０６は、点灯装置１の常用電源端子Ｔ１１、Ｔ１２と電気的に接続されている電線と、器具本体４０の電源穴４００から引き込まれる電源ケーブル５とを電気的に接続する。
【００４６】
器具本体４０の下面には取付板４２がねじ止めされる（図６参照）。取付板４２は、アルミなどの金属材料によって円板状に形成されることが好ましい。取付板４２の下面に光源２が取り付けられている。光源２は、照明用白色発光ダイオードから放射される光の配光を制御するドーム形の配光部材２１と、配光部材２１を保持するホルダ２２とを有することが好ましい（図５参照）。取付板４２は、負荷電線２３を通すための貫通孔４２０と、スイッチカバー４０３を露出させるための開口部４２１とを有している。光源２は、貫通孔４２０に挿通される負荷電線２３によって点灯装置１の負荷端子Ｔ３１、Ｔ３２と電気的に接続されている。開口部４２１は、取付板４２の後端部分が矩形に切り欠かれて形成されることが好ましい。取付板４２が器具本体４０に取り付けられた状態において、スイッチカバー４０３の下面が開口部４２１を通して取付板４２の下面に露出する（図６参照）。なお、取付板４２は、吊り紐４２２によって器具本体４０に吊り下げられることが好ましい（図５参照）。
【００４７】
カバーユニット４１は、透光カバー４１０と枠体４１１を有することが好ましい（図４Ｂ、図５及び図６参照）。透光カバー４１０は、ガラスのような透光性を有する不燃性の材料によって、おおよそ半球状に形成されることが好ましい。ただし、透光カバー４１０は乳白色の塗料などで塗装されることが好ましい。枠体４１１はアルミなどの金属材料によって円筒形状に形成されることが好ましい。透光カバー４１０は、枠体４１１の下側の開口から下向きに突出するようにして枠体４１１に取り付けられる（図４Ｂ参照）。枠体４１１の内周面における上端近くに雌ねじが形成されることが好ましい。また、枠体４１１は、吊り紐４１２によって器具本体４０に吊り下げられることが好ましい（図５参照）。
【００４８】
カバーユニット４１は、器具本体４０の周壁の外周面に形成されている雄ねじと、枠体４１１の内周面に形成されている雌ねじとが噛み合わされることによって、着脱可能に器具本体４０に取り付けられる（図４Ａ及び図４Ｂ参照）。すなわち、点検作業を行う作業者は、器具本体４０からカバーユニット４１を取り外し、吊り紐４１２によってカバーユニット４１を器具本体４０に吊り下げた状態で第１の押釦スイッチ又は第２の押釦スイッチを押操作することが好ましい（図６参照）。あるいは、作業者は、器具本体４０からカバーユニット４１を取り外さずに、リモートコントローラから赤外線信号を送信させても構わない。
【００４９】
ここで、透光カバー４１０が白色の塗料で塗装されている場合、表示器１５から放射される光（緑色光）は透光カバー４１０を通過する際に拡散される。また、光源２から放射される光（白色の照明光）も透光カバー４１０を通過する際に拡散される。したがって、光源２の点灯中においては、表示器１５の光量をある程度大きくしないと表示器１５の視認性の低下を抑えることが難しい。一方、スイッチ装置６がオフされることで光源２が消灯している場合、表示器１５の光量が光源２の点灯中と同程度の光量であると、必要以上に表示器１５が目立ってしまい、表示器１５の消費電力が無駄に増えてしまうおそれがある。
【００５０】
これに対して本実施形態の照明器具４は、光源２の光量に応じて表示器１５の光量を調整するように構成された点灯装置１を備えるので、表示器１５の視認性の向上を図りつつ消費電力の増加を抑えることができる。
【００５１】
なお、器具本体４０は、蓄電池３を収容する蓄電池収容部４０４を有していなくても構わない。つまり、器具本体４０の外に設置されている蓄電池３と、器具本体４０に取り付けられている点灯装置１の一対の非常用電源端子Ｔ２１、Ｔ２２とが電源線で電気的に接続されても構わない。
【００５２】
上述のように点灯装置１は、点灯回路１２と、常用電源（交流電源１００）から供給される常用電力で蓄電池３を充電する充電回路１０と、点灯回路１２を制御する制御回路１６と、蓄電池３が充電中である旨を点灯表示する表示器１５とを備える。点灯回路１２は、交流電源１００から供給される常用電力で光源２を点灯させる常用点灯モード、蓄電池３から供給される非常用電力で光源２を点灯させる非常用点灯モード、及び光源２を調光する常用調光モードの３つの点灯モードを有する。制御回路１６は、３つの点灯モードを択一的に切り替えるように点灯回路１２を制御する。制御回路１６は、点灯回路１２を常用調光モードで動作させている場合の表示器１５の光量を、点灯回路１２を常用点灯モードで動作させている場合の表示器１５の光量よりも小さくする。
【００５３】
点灯装置１は上述のように構成されるので、光源２の光量が減少するにつれて表示器１５の光量を小さくすることにより、表示器１５の視認性の向上を図りつつ消費電力の増加を抑えることができる。
【００５４】
点灯装置１において、制御回路１６は、常用調光モードにおいて光源２を消灯させるように点灯回路１２を制御することが好ましい。
【００５５】
点灯装置１は上述のように構成されるので、消費電力の削減を図ることができる。
【００５６】
照明器具４は上述のように、点灯装置１と、点灯装置１によって点灯させられる光源２と、点灯装置１によって充電される蓄電池３と、点灯装置１、光源２及び蓄電池３を保持する器具本体４０とを備える。
【００５７】
照明器具４は上述のように構成されるので、上述のような点灯装置１を備えることによって、表示器１５の視認性の向上を図りつつ消費電力の増加を抑えることができる。
【符号の説明】
【００５８】
１  点灯装置
２  光源
３  蓄電池
４  照明器具
１０  充電回路
１２  点灯回路
１５  表示器
１６  制御回路
４０  器具本体
１００  交流電源（常用電源）
【図１】
2018185941.tif 000003
【図２】
2018185941.tif 000004
【図３】
2018185941.tif 000005
【図４】
2018185941.tif 000006
【図５】
2018185941.tif 000007
【図６】
2018185941.tif 000008